(57)【要約】【課題】水袋の上面としての水返し鍔が安定するため、水の溢れ防止機能が確実となり、また、差込口の強度を確保できるため、切り花の立ち姿が整って安定する水袋付き切り花包装ケースを提供する。【解決手段】切り花の包装ケースが一対角線方向へ折り畳むことのできる対角折れ形式であって、その底部に内装される水袋については、切り花の差し口の周囲が天面であることで水溢れ防止の水返し壁となっている水袋付き切り花包装ケースにおいて、切り花の差し口を有し且つ前記対角折れに沿った山折れ線が形成された中蓋を水袋に接着し、水袋と中蓋との一方又は双方を包装ケースに接着してある。【選択図】図１
2007216994.tif 000002
【特許請求の範囲】
【請求項１】
切り花の包装ケースが一対角線方向へ折り畳むことのできる対角折れ形式であって、その底部に内装される水袋については、切り花の差し口の周囲が天面であることで水溢れ防止の水返し壁となっている水袋付き切り花包装ケースにおいて、切り花の差し口を有し且つ前記対角折れに沿った山折れ線が形成された中蓋を水袋に接着し、水袋と中蓋との一方又は双方を包装ケースに接着してあることを特徴とする水袋付き切り花包装ケース。
【請求項２】
切り花の包装ケースが左右両側に幅中央に沿って折り畳みのための山折りの中折れ線が形成される中折れ形式であって、その底部に内装される水袋については、切り花の差し口の周囲が天面であることで水溢れ防止の水返し壁となっている水袋付き切り花包装ケースにおいて、切り花の差し口を有し且つ前記両中折れ線間の結び線上に沿った山折れ線が形成された中蓋を水袋に接着し、水袋と中蓋との一方又は双方を包装ケースに接着してあることを特徴とする水袋付き切り花包装ケース。
【請求項３】
水袋がフィルムを素材とし、両側をＷ折込みにしたガゼット袋又は平袋であって、平袋の上端の幅中央に切欠を設けて差し口が形成され、この水袋の水返し壁となる上端部を中蓋の二つ折りの中に挟むことによって、水袋と中蓋との接着がなされていることを特徴とする請求項１又は２記載の水袋付き切り花包装ケース。
【請求項４】
中蓋が前後両端に下向きに屈折する取付片を連設してあって、両取付片で包装ケースに対する接着をなしてあることを特徴とする請求項１，２又は３記載の水袋付き切り花包装ケース。
【請求項５】
中蓋が左右両端に起立するリブ片を連設してあることを特徴とする請求項１，２，３又は４記載の水袋付き切り花包装ケース。
【請求項６】
包装ケースについて、四角筒組立ての糊代に連結される前面壁において、下端部よりも上方が糊代に未着の開き扉として形成され、開き扉の上端と、後面壁および左右両側壁の上端に、上端を封じる短突片のフラップをそれぞれ連設してあることを特徴とする請求項１，２，３，４又は５記載の水袋付き切り花包装ケース。
【請求項７】
包装ケースの折畳みに応じて二つ折りされるように山折れ線が設けられている中蓋において、二つ折りしてなる偏平な折り側端部に切欠を設けることにより切り花の差し口が二つ折り線上の位置に対して対称に形成されていることを特徴とする請求項１，２，３，４，５又は６記載の水袋付き切り花包装ケース。
【請求項８】
中蓋の二つ折りの間に偏平な水袋を差し込んで双方を接着した状態において中蓋に前記切欠を設けることにより、中蓋と水袋とに同時に切り花の差し口を形成してあることを特徴とする請求項７記載の水袋付き切り花包装ケース。
【発明の詳細な説明】
【技術分野】
【０００１】
この発明は、所謂切り花として鑑賞する草木を切り口が水に漬かった状態で輸送・保管するために使用する水袋付き切り花包装ケースに関する。
【背景技術】
【０００２】
切り花を生産者側から市場や店頭に輸送するまでの鮮度を保持するために、疲労しないように切り花を立てるとともに水切れを招かないように切り口を水につけた状態に包装される。それには、切り花を保護する縦長の包装ケースの下端に水袋を内装した切り花用の包装ケースが用いられ、一般的に、ケースには段ボール箱が、水袋にはプラスチック製の袋が使用される。水袋が使用時に装着する後付けの場合もあるが、最初から包装ケースに取り付けられている先付けの場合がある。本願の発明は後者に属する。
【０００３】
いずれにしても、包装ケースの製造業者から切り花の生産者側へ輸送し、或いは、反復使用する場合の都合から、偏平な折畳み状態が得られることや、誤って転倒しても水袋から水が溢れないことが求められ、また、市場においては包装ケースを横倒しにして切り花をコンベアで選別したり、搬送することから、その状態においても水漏れがないことが要求される。
【０００４】
図１８は、本発明者に係る従来例（特許文献１）を示したもので、これによると、包装ケース７０は、縦長のＡ式段ボール箱であって、この種の段ボール箱として両対角を折れ線として、一対角線方向へ折り畳むことができる（対角折れ形式）。一方、水袋７４は、包装ケース７０の下端部に丁度納まる四角形であってその中央に切り花の差込口７８を設け、その周囲の天壁が水返し鍔７９となるもので、さらに、平面から見て四角形ではあるが、前記対角線方向の両側へ立ち上がるようにしてその両端に荒れる水の逃げスペース７６，７６を設けてある。
【０００５】
また、同出願において別の実施形態として、包装ケースの左右両側壁とその上下両端のフラップとに山折りの中折れ線（図６参照）を設け（中折れ形式）、前後両面壁を合わせるようにして折り畳むようにする一方、その折畳みに応じるように、水袋を紙風船のように組み立てた場合を提示した。
【特許文献１】特許公開２００５−２９８０５４号公報
【発明の開示】
【発明が解決しようとする課題】
【０００６】
上記のような従来の水袋付き切り花包装ケースによれば、水袋が包装ケースの下端部に一体化されていても、包装ケースの折畳みに応じることができ、また、切り花の差込口の周囲が水返し鍔となっているので、転倒しても水の溢れがその水返し鍔により防止されるが、水袋がプラスチックフィルム製またはそれにクラフト紙をラミネートしたような柔軟な素材であるため、水袋の上面としての水返し鍔が水の圧力に対して安定しないために、水の溢れ防止に万全を期し難く、また、差込口が切り花の茎を支持する強度に欠けるため、切り花の立ち姿を安定して保持できないという問題があった。
【０００７】
この発明は、上記のような実情に鑑みて、水袋の上面としての水返し鍔が安定するため、水の溢れ防止機能が確実となり、また、差込口の強度を確保できるため、切り花の立ち姿が整って安定する水袋付き切り花包装ケースを提供することを課題とした。
【課題を解決するための手段】
【０００８】
上記の課題を解決するために、第１発明は、切り花の包装ケースが一対角線方向へ折り畳むことのできる対角折れ形式であって、その底部に内装される水袋については、切り花の差し口の周囲が天面であることで水溢れ防止の水返し壁となっている水袋付き切り花包装ケースにおいて、切り花の差し口を有し且つ前記対角折れに沿った山折れ線が形成された中蓋を水袋に接着し、水袋と中蓋との一方又は双方を包装ケースに接着してあることを特徴とする水袋付き切り花包装ケースを提供する。
【０００９】
また、第２発明は、切り花の包装ケースが左右両側に幅中央に沿って折り畳みのための山折りの中折れ線が形成される中折れ形式であって、その底部に内装される水袋については、切り花の差し口の周囲が天面であることで水溢れ防止の水返し壁となっている水袋付き切り花包装ケースにおいて、切り花の差し口を有し且つ前記両中折れ線間の結び線上に沿った山折れ線が形成された中蓋を水袋に接着し、水袋と中蓋との一方又は双方を包装ケースに接着してあることを特徴とする水袋付き切り花包装ケースを提供する。
【００１０】
上記いずれの場合も、包装ケースを折り畳むと同時に、水袋とともに中蓋が山折れ線に沿って閉じ、包装ケースを開くと同時に、水袋とともに中蓋が開き切り花の差し口が開口する。なお、水袋の材質としては、ポリエチレン・ナイロン／ポリエチレン・生分解樹脂など特に限定するものではないが、コンスターチを原料とした樹脂は外箱の段ボールと一緒にリサイクルできるため、外箱と水袋を分別する必要がなく、特に好ましい。
【発明の効果】
【００１１】
以上説明したように、この発明の水袋付き切り花包装ケースによれば、水袋の差し口の周囲が中蓋により補強され水返し壁と差し口の形状が安定することから、輸送中の振動が激しかったり、急激に包装ケースが転倒したとしても、水の溢れが確実に防止されるので、使用中の安全性が高く、また、切り花の安定した立ち姿を保持できるので、その商品価値を維持できるとともに立てたままの陳列にも適する。また、中蓋が包装ケースの折り畳みに山折りになって従うので、運搬や保管に有利なように偏平にして積み重ねることができ、反復使用にも好都合であるという優れた効果がある。
【００１２】
加えて、請求項３の如くであると、ガゼット式袋や平袋であってもその上端部を水返し壁として中蓋の下面に容易に接着でき、請求項４の場合であると、包装ケースに対する中蓋の取付けが容易であり、また、請求項５のようであると、中蓋の補強で水漏れ防止がさらに確実となり、請求項６の如くであると、短フラップにより材料の節約をなし得る。また、請求項７，８の場合であると、切り花の差し口の形成が容易である。
【発明を実施するための最良の形態】
【００１３】
次に、この発明の実施形態を包装ケース１の折畳みについての対角折れ形式と中折れ形式とに分けて説明する。
【００１４】
図１ないし図４は、包装ケース１が対角方向へ折り畳む対角折れ形式の場合の一実施の形態を示したもので、その水袋付き切り花包装ケースＰａは、段ボールの包装ケース１の底部に水袋２を内装し、水袋２の上面に中蓋３を接着し、水袋２と中蓋３とに切り花の差し口５，６が設けられる。
【００１５】
包装ケース１は、対角折れ形式として菱形方向へ偏平に畳み得る縦長の正四角立方体であって、前後両面壁７，７と左右両側壁９，９とで角筒形で前面壁７が糊代１０で一側壁９に連結されているが、その前面壁７では下端部より上が開き扉７ａとなって開放可能で、糊代１０に受けられるようになっている。また、切り花の出し入れや、水の注入を容易にするため、図１に示す斜め折り返し線８を入れることが好ましい（矢印Ｈ参照）。そこで、開き扉７ａを開いた状態において、水袋２に水を注入することができるが、また、切り花の出し入れの際ばかりでなく、切り花の商品陳列の際にも開き扉７ａが開かれる。底部の構造については特に限定するものではないが、前後両面壁７，７と左右両側壁９，９に連設される特殊形状のフラップが組み合って構成されるようにした。また、上端についても特に限定するものではないが、前後両面壁７（７ａ），７と左右両側壁９，９とにそれぞれ短突片のフラップ１３，１３，１３，１３が連設され、その突出寸法により材料の節約が図られている。また、こうすると、中央に通気兼用の覗き窓１５が開放されて好都合でもある。なお、短突片の各ラップ１３は、交互に折り返すことで封じ、連設されている。
【００１６】
水袋２は、プラスチックフィルムにより組み立てられ、包装ケース１の下端部に丁度納まるほゞ四角形であって、上面壁において中央の差し口５の周囲が水返し壁１７となっており、また、一対角両端部において水返し壁１７が盛り上がることによりその両端部に水の逃げスペース１９，１９が設けられる。
【００１７】
中蓋３は、段ボールを切断して包装ケース１の下端部に丁度納まる程度のほヾ正四角形であって、包装ケース１の前記一対角に沿って山折れ線２１が設けられ、その両端に相当する一対角の両端部において角が取れた角欠となっており、また、その両端部が水袋２の逃げスペース１９，１９の盛り上がりに沿って反り上がるが、その場合、山折れ線２１を下方に押し込むことにより、平たく安定した平面状態が得られるように、両端部に谷折れ線２４，２４が設けられている。また、中央に設けた差し口６の周縁部には切込み２５，２５，・・を放射状に設け、口の大きさに融通性を持たせてある。
【００１８】
一方、包装ケース１を横倒しにするコンベアでの選別や搬送時において、より水漏れが生じないように、所定側の水返し壁１７を広くするように差し口６を構成しておくのが良い。それにより、ケース１の横倒の際に、差し口６の位置が高位になり、水漏れがより防止されるからである。
【００１９】
水袋２が包装ケース１の前後両面壁７，７と左右両側壁９，９とに接着されているので、包装ケース１を組み立てた使用状態（図１）においては、水袋２が開拡しているが、中蓋３の山折れ線２１に対して直角方向の両方から押さえて包装ケース１に折り畳む力を加えると、その折畳みに付随して中蓋３が山折れ線２１に沿って二つ折りとなり（図２）、その間に水返し壁１７も折り込まれる。したがって、この状態において、包装ケースＰａをその製造業者側から切り花の生産者側へ搬送し、或いは保管する際に都合良く積み重ねることができる。
【００２０】
また、折畳み状態から開いて組み立てると、水袋２が開くためにそれに従って中蓋３が二つ折りから平らに復帰するので、同時に開口した差し口５，６から水を注入し、切り花を差し立てて包装し輸送することができる。輸送中に誤って転倒したり、また、市場において陳列手段として転倒した状態におかれたとしても、水が中蓋３により補強された水返し壁１７に阻止されるために、水が溢れ出るような不都合は生じない。また、輸送中の振動が大きかったり、転倒が急激であったりしたために、水袋２の水が激しく荒れたとしても、その荒れが逃げスペース１９，１９に吸収されることにより緩和されるため、これによっても、水溢れがさらに確実に防止される。
【００２１】
図５は中蓋３についての他の実施形態を示したもので、この場合は、山折れ線２１と直角方向の角も取られて八角形の形状となっており、こうしても包装ケース１の折畳み組立てに支障がなく、材料の節約となる。
【００２２】
図６ないし図９は、中折れ形式の水袋付き切り花包装ケースＰｂを示したもので、この実施形態の場合であると、左右両側壁９，９とそれに接続される上面のフラップ１３，１３と底部のフラップに山折りの中折れ線２７，２７が設けられているので、前後両面壁７，７を対面方向に押して、左右両側壁９，９を外側へ出して包装ケース１を折り畳むことができる。また、中蓋３を包装ケース１に接着し、前記の場合とは違って、水袋２を包装ケース１に対して未接着のフリーとした。
【００２３】
中蓋３は、包装ケース１に納まる四角形であって、接着のために前後端には下へ折られる取付片２９，２９を連設し、強度のために左右両端には起立して折られるリブ片３１，３１が連設される。そして、中蓋３と両方のリブ片３１，３１との幅中央に沿って山折れ線２１が設けられる。
【００２４】
水袋２には、プラスチックフィルムのチューブを素材とし、両側がＷ折込み３３，３３であるガゼット式であって、上下両端にシール部３５，３５を設け（図８）、上端の幅中央部に切欠を設けることにより、円形の差し口５が形成され、Ｗ折込み３３，３３が開くことにより、差し口５の周囲が水返し壁１７となるよう、中蓋３の下面に水返し壁１７となる部分が接着される。これは次のような手法による。
【００２５】
まず、中蓋３の下面に接着剤を塗布してから、山折れ線２１で二つ折りにするとともに、その中に偏平なままの水袋２の上端部を差し込み（図８の状態）、この状態で接着のための押圧を施す。これで接着により中蓋３と水袋２との結合が完了する。この完了時点では二つ折りのまま偏平であるが、この状態のまま包装ケース１に都合良く取り付けることができる。
【００２６】
すなわち、中蓋３の取付片２９，２９に接着剤を塗布してから、半ば折り畳んである包装ケース１に一端から挿入し所定の箇所で包装ケース１を押圧するだけで取付けができる。また、こうすると、取付片２９，２９が包装ケース１の前後両面壁７，７に必ず同じ位置において接着されるから、包装ケース１を組み立てることにより中蓋３が開かれたときには中蓋３とその下面の水返し壁１７が正確に水平となる。
【００２７】
包装ケース１を組み立てるときにそれを折畳み状態から開くと、前後両面壁７，７の間が開くことにより中蓋３が平たく水平に開かれるが、その下面に水袋２の上端両面が接着されている関係で、水袋２は両側のＷ折込み３３，３３で開いて包装ケース１の下端内部空間全体に言わば強制的に広がる。したがって、差し口５，６から手を入れて水袋２を手直しする必要がなく、しかも、水袋２は（チューブの）縦長であるから、その寸法により十分な水量を蓄えることができる。
【００２８】
図１０は中折れ形式の場合における他の実施形態を示したもので、中蓋３にはリブが無く、前後取付片２９，２９が包装ケース１の底部に支える長さに形成される。こうすれば、包装ケース１に対する取付片２９，２９の接着がさらに簡単に済むことになる。
【００２９】
また、中折れ形式の場合においても、水袋２を包装ケース１の周囲に接着して取り付けても良い。図１１はその場合の一実施形態を示したもので、水袋２は四角立法に形成してその左右両端に逃げスペース１９，１９が設けられる他、水返し壁１７の中央に有する差し口５には防水壁３７が垂設される。
【００３０】
図１３ないし図１４は、他の実施形態として、長方形対角折れ形式の水袋付き切り花包装ケースＰｃを示したもので、これによると、包装ケース１が長方形の角筒形であるので、正方形の角筒形の場合と同様に、一対角線方向に延ばす（拡張する）ことにより折り畳むことができ、その折り畳みを許容するために、長方形に近い形状の中蓋３には、二つ折り可能に前記一対角線に沿った山折れ線２１が形成されている。しかし、この場合については、包装ケース１の横幅形状から、差し口６が真円であることは適当でなく、横長の長孔に形成されることが望ましい。これについては、次のような手段をとった。
【００３１】
中蓋３を二つ折りした状態で、その二つ折り側端部にＶ字形の切欠４を設け（図１４）、この際に、Ｖ字形の内角を９０度を大きく越える角度に取ることにより、差し口６を山折れ線２１に沿って長い菱形の長孔とした。また、同実施形態（図１２ないし図１４）の場合であると、二つ折りした中蓋３の間に水袋２を平袋の状態で差し込み、接着した後で前記の切欠４を設けることより、水袋２の差し口５と中蓋３の差し口６とを同時に明けた。また、同実施形態の場合であると、水袋２がフィルムチューブの両端シール部３５，３５を左右両端に位置させ、その横長の食み出しにおいてガゼットに代わる前後方向の開拡がなされ、こうして包装ケース１との４面接着状態をなして、包装ケース１の折畳み組立てに応じうるようになっている。
【００３２】
さらに、水袋２には、その上端両側部４１，４１を包装ケース１に接着することにより、逃げスペース１９，１９が設けられ、その近くにおいては、中蓋３が反るように谷折れ線２４，２４が形成される。なお、以上この実施形態について述べたことは、他の実施形態においても必要に応じて適宜採用することができる。
【００３３】
図１５は、前記実施形態とほゞ同様であって、差し口５，６の形成について、中蓋３の二つ折りの中に水袋２を差し込み接着した後に切欠を設けるが、切欠を半円弧に形成することにより、差し口５，６を楕円形に明けた。なお、包装ケース１を折り畳むために押す側のコーナー部においては、初期押しに抵抗がないよう、中蓋３には角取り状に後退縁４０，４０が形成される。
【００３４】
図１６および図１７は、前記の図１２ないし図１５に示す実施形態と比較するものとして提示する他の実施形態である。この場合は、包装ケース１が同じく長方形の角筒形であって、一対角線方向に延ばして折り畳む形態であり、中蓋３にはその一対角線に沿って山折れ線２１が形成される（図１２，図１３，図１５参照）。しかし、中蓋３に差し口６を包装ケース１の断面とほゞ相似形に、つまり横長の矩形に形成した。
【００３５】
その手段として、前記実施形態と同様に（図１４参照）、山折れ線２１の二つ折りした間に偏平な平袋の水袋２を差し込んで接着した状態において、二つ折り両片に切欠４ａ，４ｂを設けることにより（図１６）、差し口６を長方形に形成した（図１７）。この場合は、前記実施形態の場合と比較すると、包装ケース１の形に沿うように横長であるが、両切欠４ａ，４ｂが互い違いになるために（図１６）、２回抜きになる点で作業上不利であり、また、水袋２にも同時に差し口５を明けるにも切欠４ａ，４ｂの互い違いから作業がやりにくいので、作業上からは、前記実施形態の場合が望ましいと言える。なお、この発明は、差し口５，６の明け方を特に限定しているものではない（請求項１および２参照）。
【図面の簡単な説明】
【００３６】
【図１】この発明に係る対角折れ形式の水袋付き切り花包装ケースを一部切欠して示す斜視図である。
【図２】同水袋付き切り花包装ケースの折り畳んだ状態を図１のＡ−Ａ線矢視の位置において示す一部断面図である。
【図３】同実施形態における水袋と中蓋とを分離して示す斜視図である。
【図４】同中蓋の平面図である。
【図５】他の実施形態による中蓋の平面図である。
【図６】この発明に係る中折れ形式の水袋付き切り花包装ケースを一部切欠して示す斜視図である。
【図７】同実施形態における水袋と中蓋との一体化を開拡状態で示す斜視図である。
【図８】同水袋と中蓋との一体化を初期折畳み状態で示す正面図である。
【図９】同中蓋の展開図である。
【図１０】中折れ形式の場合の他の実施形態を示す水袋と中蓋との一体化した開拡斜視図である。
【図１１】中折れ形式の他の実施形態について水袋と中蓋を分離状態で示す斜視図である。
【図１２】この発明に係る長方形水袋付き切り花包装ケースを示す斜視図である。
【図１３】同水袋付き切り花包装ケースの横断面図である。
【図１４】同水袋付き切り花包装ケースにおける水袋と中蓋とに差し口を同時に設ける要領を説明する中蓋の二つ折り正面図である。
【図１５】類例他の実施形態を示す図１３に対応する横断面図である。
【図１６】比較他の実施形態を示す図１４に対応する正面図である。
【図１７】同実施形態における中蓋の平面図である。
【図１８】従来例を示す斜視図である。
【符号の説明】
【００３７】
Ｐａ  対角折れ形式の水袋付き切り花包装ケース
Ｐｂ  中折れ形式の水袋付き切り花包装ケース
Ｐｃ  長方形対角折れ形式の水袋付き切り花包装ケース
１  包装ケース
２  水袋
３  中蓋
４  切欠
５，６  差し口
７  前後両面壁
７ａ  開き扉
９  左右両側壁
１０  糊代
１３  フラップ
１７  水返し壁
２１  山折れ線
２７  中折れ線
２９  取付片
３１  リブ片
３３  Ｗ折込み
３５  シール部
【図１】
2007216994.tif 000003
【図２】
2007216994.tif 000004
【図３】
2007216994.tif 000005
【図４】
2007216994.tif 000006
【図５】
2007216994.tif 000007
【図６】
2007216994.tif 000008
【図７】
2007216994.tif 000009
【図８】
2007216994.tif 000010
【図９】
2007216994.tif 000011
【図１０】
2007216994.tif 000012
【図１１】
2007216994.tif 000013
【図１２】
2007216994.tif 000014
【図１３】
2007216994.tif 000015
【図１４】
2007216994.tif 000016
【図１５】
2007216994.tif 000017
【図１６】
2007216994.tif 000018
【図１７】
2007216994.tif 000019
【図１８】
2007216994.tif 000020